(57)【要約】【課題】ロール状に連続した記録媒体の取り付け作業を確実に行うことが可能な記録装置を提供する。【解決手段】ロール状に連続した記録媒体を先端部から挿入するための挿入口１４が設けられている本体２と、記録媒体支持装置１０とを有し、記録媒体支持装置１０は、記録媒体の軸方向の一端に差し込まれるロールホルダ２０Ｌと、挿入口１４に沿ってスライド可能に本体２に取り付けられたスライダー３０を有し、ロールホルダ２０Ｌはフランジ軸２１を備え、スライダー３０は、軸方向と直交する面内で回転可能で、外周にカム面４８ｂを有し、カム面４８ｂが本体２から離れたリンク４８を内蔵し、かつスライダー３０の外周から中央部に向けて延び中央部でリンクの端部４８ａが露出した切欠部３９を備え、フランジ軸２１を切欠部３９に押し込むことによって、フランジ軸２１が端部４８ａを押してリンク４８を回転させ、カム面４８ｂが本体２に固定する。【選択図】図１
2011110708.tif 000002
【特許請求の範囲】
【請求項１】
ロール状に連続した記録媒体を該記録媒体の先端部から挿入するための挿入口が設けられ、前記挿入口から挿入された記録媒体に記録する本体と、前記挿入口に対向するように前記本体に取り付けられている記録媒体支持装置と、を有する記録装置において、
前記記録媒体支持装置は、前記記録媒体の軸方向の一端に差し込まれるようにされたロールホルダと、前記挿入口に沿ってスライド可能に前記本体に取り付けられたスライダーと、を有し、前記ロールホルダは前記軸方向の外側に突出したフランジ軸を備え、前記スライダーは、前記軸方向と直交する面内で回転可能で、外周にカム面を有し、該カム面が前記本体から離れたリンクを内蔵し、かつ前記スライダーの外周から中央部に向けて延び該中央部で前記リンクの端部が露出した切欠部を備え、前記フランジ軸を前記切欠部に押し込むことによって、前記フランジ軸が前記リンクの前記端部を押して前記リンクを回転させ、前記カム面が前記本体に固定するようにされた、ことを特徴とする記録装置。
【請求項２】
前記本体は、前記スライダーに対向するラックを備え、
前記スライダーは、前記カム面に押し出されて前記ラックに係合する爪部を備えている、請求項１に記載の記録装置。
【請求項３】
前記スライダーは、前記カム面に押し出されて前記本体との間に摩擦力を発生させる摩擦部材を備えている、請求項１に記載の記録装置。
【請求項４】
前記摩擦部材は、前記カム面に取り付けられている、請求項３に記載の記録装置。
【請求項５】
前記摩擦部材は、ゴム材である、請求項３または請求項４に記載の記録装置。
【請求項６】
ロール状に連続した記録媒体を該記録媒体の先端部から挿入するための挿入口が設けられ、前記挿入口から挿入された記録媒体に記録する本体を有する記録装置に取り付けられる記録媒体支持装置において、
前記記録媒体の軸方向の一端に差し込まれるようにされたロールホルダと、前記挿入口に沿ってスライド可能に前記本体に取り付けられるようにされたスライダーと、を有し、前記ロールホルダは前記軸方向の外側に突出したフランジ軸を備え、前記スライダーは、前記軸方向と直交する面内で回転可能で、外周にカム面を有し、該カム面が前記本体から離れたリンクを内蔵し、かつ前記スライダーの外周から中央部に向けて延び該中央部で前記リンクの端部が露出した切欠部を備え、前記フランジ軸を前記切欠部に押し込むことによって、前記フランジ軸が前記リンクの前記端部を押して前記リンクを回転させ、前記カム面が前記本体に固定するようにされた、ことを特徴とする記録媒体支持装置。
【請求項７】
ロール状に連続した記録媒体を該記録媒体の先端部から挿入するための挿入口が設けられ、前記挿入口から挿入された記録媒体に記録する本体を有する記録装置に、前記記録媒体の軸方向の一端に差し込まれるようにされたロールホルダと、前記挿入口に沿ってスライド可能に前記本体に取り付けられたスライダーとを用いて前記記録媒体を取り付ける記録媒体取り付け方法において、
前記ロールホルダは前記軸方向の外側に突出したフランジ軸を備え、前記スライダーは、前記軸方向と直交する面内で回転可能で、外周にカム面を有し、該カム面が前記本体から離れたリンクを内蔵し、かつ前記スライダーの外周から中央部に向けて延び該中央部で前記リンクの端部が露出した切欠部を備えており、
前記フランジ軸を前記切欠部に押し込むことによって、前記フランジ軸が前記リンクの前記端部を押して前記リンクが回転し、前記カム面が前記本体に固定するステップを有する、ことを特徴とする記録媒体取り付け方法。
【発明の詳細な説明】
【技術分野】
【０００１】
本発明は、ロール状に連続した記録媒体に記録する記録装置、該記録装置を構成する記録媒体支持装置、および記録媒体取り付け方法に関する。
【背景技術】
【０００２】
画像情報に基づいて記録媒体に画像を記録する記録装置（例えば、プリンタ、複写機あるいはファクシミリ）の一つの形態として、ロール状に連続した記録紙やフィルムなどの記録媒体に画像を形成するものがある。このような記録装置では、一般的に、ロール状に連続した記録媒体の軸方向の両端から記録媒体を支持する記録媒体支持装置を使用している。従来の記録媒体支持装置が特許文献１および特許文献２に開示されている。
【０００３】
特許文献１には、ロール状に連続した記録媒体紙の両端にフランジを嵌め、フランジの両端からそれぞれ突出する軸部を、装置本体に取り付けられている一対の支持部にて保持する記録媒体支持装置が開示されている。なお、この記録媒体支持装置では、支持部の一方は、記録媒体の幅に応じてスライド可能なスライダーとなっていて、作業者の操作によってスライダーを予め所定の位置に移動させてから、記録媒体を装置本体に支持する。
【０００４】
一方、特許文献２には、ロール状に連続した記録媒体紙の両端にフランジを嵌め、フランジの中心の勘合穴に、装置本体に取り付けられている支持部から突出する軸を挿入する記録媒体支持装置が開示されている。なお、この記録媒体支持装置は、支持部の一方が記録媒体の幅に応じてスライド可能なスライダーである点で特許文献１に開示された構成と等しいが、スライダーを予め所定の位置に移動しておく必要はない。特許文献２に開示された構成では、スライダーと支持部の他方との間にフランジを嵌めた状態のロール紙を仮置きし、スライダーを狭める方向に動かしていく。これにより、支持部がロール紙を挟み込んだ状態でロール紙が保持される。
【０００５】
また、特許文献１および特許文献２にそれぞれ開示された記録媒体支持装置のいずれにも、記録媒体の幅に合わせてスライダー（支持部）を移動させた後、スライダーを装置本体に固定させる手動のロック機構が設けられている。スライダーが装置本体に固定されないと、装置本体の稼働中にスライダーがフランジに近づく方向にずれる場合がある。この場合、ロール紙の搬送中に回転するフランジがスライダーに接触し、その結果、回転抵抗により搬送性能が不安定になるという不具合が起こりうる。また、スライダーが装置本体に固定されないと、スライダーがフランジから離れる方向にずれる場合もある。この場合には、ロール紙が支持部から脱落し、その結果、画像記録が行えなくなるという不具合が起こりうる。そこで、特許文献１および特許文献２にそれぞれ開示された記録媒体支持装置には、これらの不具合の発生を防ぐために、手動のロック機構が設けられている。
【先行技術文献】
【特許文献】
【０００６】
【特許文献１】特開平１１−３２２１４１号公報
【特許文献２】特開２００７−２６１７５４号公報
【発明の概要】
【発明が解決しようとする課題】
【０００７】
特許文献１および特許文献２にそれぞれ開示されたロック機構は、手動であるため、作業者がロック機構の操作を忘れてしまった場合には上述した問題が発生する可能性がある。
【０００８】
本発明は、ロール状に連続した記録媒体の取り付け作業を確実に行うことが可能な記録装置、記録媒体支持装置、および記録媒体取り付け方法を提供することを目的とする。
【課題を解決するための手段】
【０００９】
上記目的を達成するための本発明による記録装置は、ロール状に連続した記録媒体を該記録媒体の先端部から挿入するための挿入口が設けられ、前記挿入口から挿入された記録媒体に記録する本体と、前記挿入口に対向するように前記本体に取り付けられている記録媒体支持装置と、を有する記録装置において、前記記録媒体支持装置は、前記記録媒体の軸方向の一端に差し込まれるようにされたロールホルダと、前記挿入口に沿ってスライド可能に前記本体に取り付けられたスライダーと、を有し、前記ロールホルダは前記軸方向の外側に突出したフランジ軸を備え、前記スライダーは、前記軸方向と直交する面内で回転可能で、外周にカム面を有し、該カム面が前記本体から離れたリンクを内蔵し、かつ前記スライダーの外周から中央部に向けて延び該中央部で前記リンクの端部が露出した切欠部を備え、前記フランジ軸を前記切欠部に押し込むことによって、前記フランジ軸が前記リンクの前記端部を押して前記リンクを回転させ、前記カム面が前記本体に固定するようにされた、ことを特徴とする。
【００１０】
また、上記目的を達成するための本発明による記録媒体支持装置は、ロール状に連続した記録媒体を該記録媒体の先端部から挿入するための挿入口が設けられ、前記挿入口から挿入された記録媒体に記録する本体を有する記録装置に取り付けられる記録媒体支持装置において、前記記録媒体の軸方向の一端に差し込まれるようにされたロールホルダと、前記挿入口に沿ってスライド可能に前記本体に取り付けられるようにされたスライダーと、を有し、前記ロールホルダは前記軸方向の外側に突出したフランジ軸を備え、前記スライダーは、前記軸方向と直交する面内で回転可能で、外周にカム面を有し、該カム面が前記本体から離れたリンクを内蔵し、かつ前記スライダーの外周から中央部に向けて延び該中央部で前記リンクの端部が露出した切欠部を備え、前記フランジ軸を前記切欠部に押し込むことによって、前記フランジ軸が前記リンクの前記端部を押して前記リンクを回転させ、前記カム面が前記本体に固定するようにされた、ことを特徴とする。
【００１１】
また、上記目的を達成するための本発明による記録媒体取り付け方法は、ロール状に連続した記録媒体を該記録媒体の先端部から挿入するための挿入口が設けられ、前記挿入口から挿入された記録媒体に記録する本体を有する記録装置に、前記記録媒体の軸方向の一端に差し込まれるようにされたロールホルダと、前記挿入口に沿ってスライド可能に前記本体に取り付けられたスライダーとを用いて前記記録媒体を取り付ける記録媒体取り付け方法において、前記ロールホルダは前記軸方向の外側に突出したフランジ軸を備え、前記スライダーは、前記軸方向と直交する面内で回転可能で、外周にカム面を有し、該カム面が前記本体から離れたリンクを内蔵し、かつ前記スライダーの外周から中央部に向けて延び該中央部で前記リンクの端部が露出した切欠部を備えており、前記フランジ軸を前記切欠部に押し込むことによって、前記フランジ軸が前記リンクの前記端部を押して前記リンクが回転し、前記カム面が前記本体に固定するステップを有する、ことを特徴とする。
【発明の効果】
【００１２】
本発明によれば、ロール状に連続した記録媒体がフランジ軸を介してスライダーの切欠部で支持されたときに、スライダーに内蔵されたリンクが回転し、その結果、カム面は変位して本体に固定される。これにより、スライダーは自動的に本体に固定されるので、作業者がロック機構の操作を忘れるという事態が生じなくなる。よって、記録媒体の取り付け作業を確実に行うことが可能となる。
【図面の簡単な説明】
【００１３】
【図１】本発明の記録装置の一実施形態を示す断面図である。
【図２】本発明の記録媒体支持装置の一実施形態を示す斜視図である。
【図３】本実施形態の記録媒体支持装置に設けられたスライダーの内部構成を示す斜視図である。
【図４】本実施形態の記録媒体支持装置に設けられたロールホルダの構成を示す断面図である。
【図５】本実施形態の記録媒体支持装置に設けられたロック機構の動作を説明するための断面図である。
【図６】本実施形態の記録媒体支持装置に設けられた受け台の内部構成を示す斜視図である。
【図７】ロック機構の他の実施形態を示す断面図である。
【図８】ロック機構の他の実施形態を示す断面図である。
【発明を実施するための形態】
【００１４】
図１は、本発明の記録装置の一実施形態を示す断面図である。
【００１５】
本実施形態の記録装置１は、図１に示すように本体２と、記録媒体支持装置１０と、を有する。本体２には、ロール状に連続した記録媒体Ｐｒを記録媒体Ｐｒの先端部から挿入するための挿入口１４が設けられている。この挿入口１４に対向するように、記録媒体支持装置１０は本体２に取り付けられている。なお、記録媒体Ｐｒは、ロール状に連続した記録紙やプラスチックシートからなる記録媒体であり、その材質は紙に限定されない。
【００１６】
まず、本体２について説明する。本体２では、記録媒体支持装置１０より作業者が記録媒体Ｐｒの先端部を搬送方向（図１に示すＹ方向）に引き出して、給紙ガイド対１１によって形成された挿入口１４に挿入すると、給紙検知センサ１２によって記録媒体ｐｒの挿入が検知される。記録媒体ｐｒの挿入が検知されると、給紙ローラ対１３が回転を開始し、これにより記録媒体Ｐｒが記録部５のＬＦローラ対６まで搬送される。
【００１７】
記録部５には、記録媒体Ｐｒを裏面から支持するためのプラテン７が設置されている。このプラテン７により、記録ヘッド（不図示）と記録媒体Ｐｒとのギャップが確保されている。記録部５には、記録ヘッドを搭載したキャリッジ３が、走査ガイドであるメインレール４に沿って往復移動可能に支持されている。キャリッジ３の往復移動による１ライン分のスキャンにより画像が記録媒体Ｐｒに記録されると、記録媒体Ｐｒは、ＬＦローラ対６により、搬送方向に所定のピッチだけ搬送される。その後、キャリッジ３が再び往復移動することによって、記録媒体Ｐｒにおける次のラインの記録を行う。これを繰り返して記録媒体Ｐｒの記録領域に画像が記録される。
【００１８】
画像記録が終了すると、記録媒体Ｐｒの記録領域は排紙ガイド８へ向けて搬送される。その後、記録媒体Ｐｒは、ＬＦローラ対６により所定の切断位置まで搬送される。そして、切断動作を指示する旨の信号がカッターユニット９に入力されると、画像が記録された記録媒体Ｐｒは、カッターユニット９によって切断される。
【００１９】
次に、記録媒体支持装置１０について説明する。図２は、記録媒体支持装置１０の構成を示す斜視図である。図２では、記録媒体支持装置１０に記録媒体Ｐｒが支持されている状態を示している。
【００２０】
記録媒体支持装置１０は、図２に示すように、記録媒体Ｐｒの芯管の両端から差し込まれる一対のロールホルダ２０Ｒ、２０Ｌを有する。ロールホルダ２０Ｒ、２０Ｌには、記録媒体Ｐｒの軸方向の外側に突出するフランジ軸２１が設けられている。各フランジ軸２１は、スライダー３０及び受け台４０にて支持される。スライダー３０は、挿入口１４に沿った方向（図２のＸ方向）にスライド可能に給紙ガイド対１１に取り付けられている。スライダー３０には、スライダー３０の外周から中央部に向けて延びた切欠部３９が形成されている。
【００２１】
図３は、スライダー３０の内部構成を示す斜視図である。スライダー３０は、ロック機構３２を内蔵している。ロック機構３２は、スライダーロック３６と、リンク４８と、ガイドスローブ対３１ａ、３１ｂとで構成されている。スライダーロック３６は、スライダー３０の外装に回転可能に支持されている。リンク４８は、記録媒体Ｐｒの軸方向と直交する面内で回転可能に取り付けられている。ガイドスローブ対３１ａ、３１ｂは、切欠部３９を構成している。スライダーロック３６は、スライダー３０に対向して本体２に設けられたラック３５に係合する爪部３６ａを有する。スライダーロック３６は、回転軸３６ｂを中心に回転して、挿入口１４に沿ってスライド動作が可能な非ロック状態と、爪部３６ａがラック３５に係合するロック状態と２つの状態を持つ。
【００２２】
次に、ロールホルダ２０Ｒ、２０Ｌについて説明する。図４は、ロールホルダの構成を示す断面図である。ロールホルダ２０Ｒ、２０Ｌは同じ構成である。ロールホルダ２０Ｒ、２０Ｌは、記録媒体Ｐｒの軸方向の両端より記録媒体Ｐｒを挟み込むフランジ２４を有する。フランジ２４は、記録媒体Ｐｒの芯管に差し込まれる装填部２４ａと、記録媒体Ｐｒの端面が突き当たり、記録媒体Ｐｒの位置決めを行うための基準面２４ｂとを有する。フランジ２４が記録媒体Ｐｒを挟み込んだ状態で記録媒体Ｐｒの芯管の内面に、芯管ロック２５を押圧することによって、記録媒体Ｐｒとロールホルダ２０Ｒ、２０Ｌは回転不能かつスライド不能に固定される。また、ロールホルダ２０Ｒ、２０Ｌは、回転の中心となるフランジ軸２１を有しており、フランジ軸２１は、ベアリング２３を介してフランジ２４を回転可能に支持している。また、フランジ軸２１は、フランジ２４から外側に突出している。このフランジ軸２１を受け台４０のガイドスロープ対４１ａ、４１ｂ及びスライダー３０のガイドスロープ対３１ａ、３１ｂによって支持することで、記録媒体Ｐｒは、フランジ２４を介して本体２に回転可能に支持される。尚、ガイドスロープ対４１ａ、４１ｂ、及び３１ａ、３１ｂの間には、リンク４８が設けられている。また、ロールホルダ２０Ｒのフランジ軸２１の一端に設置されたスラスト規制部材２８の内面と、フランジ２４に固定されたロールギア２７の内面との距離は、ガイドスロープ対４１ａ、４１ｂの外面距離よりも広く（本実施形態では１ｍｍ）なっている。これにより、記録媒体Ｐｒの幅方向の概略の位置決めを行っている。
【００２３】
次に、図４を参照しながら記録媒体Ｐｒを搬送する際の駆動伝達機構に関して説明する。ロールホルダ２０Ｒが受け台４０に支持されると、ロールギア２７と入力ギア４２とが接続される。入力ギア４２は、入力ギア軸４３を介してアイドラギア４４と結合されており、さらにアイドラギア４４は、駆動モータ４７のギア４７ａと噛み合って駆動力の伝達を行なう。アイドラギア４４には、エンコーダフィルム４５が貼り付けられており、エンコーダフィルム４５の動作をエンコーダセンサ４６によって検出することで駆動制御が行なわれる。駆動モータ４７は、ロールホルダ２０Ｒ（記録媒体Ｐｒ）が受け台４０に支持された時は無負荷状態（励磁されていない状態）である。また、駆動モータ４７は、記録媒体Ｐｒを引き出す場合には正方向に回転するように励磁され記録媒体Ｐｒを巻き戻す場合には反転するように励磁される。駆動モータ４７の正方向の回転により生じる力は、ロールのバックテンションと呼ばれるものであり、ＬＦローラ対６による搬送力と向きが反対の作用力を記録媒体Ｐｒに働かせる。これにより、記録媒体Ｐｒの取り付け時の斜行補正やたるみ取りを行えるので、高精度の搬送が可能となる。なお、上記の作用力は、ロールの大きさや物性により適正な値とすることが望ましく、本実施形態では記録媒体Ｐｒ軸上で９．８Ｎ・ｃｍ（１ｋｇｆ・ｃｍ）となるように設定されている。なお、バックテンションの負荷調整は、駆動モータ４７に流れる電流を調整することで、駆動モータ４７の発生トルクを制御して行なう。駆動モータ４７が反転する時の記録媒体Ｐｒの外周速度Ｖ１は、ＬＦローラ対６による用紙搬送速度Ｖ２よりも大きな値が設定されている。しかし、記録媒体Ｐｒの駆動トルクは、ＬＦローラ対６の駆動手段（不図示）によるトルクよりも小さい値が設定されているため、一定のテンション（本実施形態では９．８Ｎ・ｃｍ）をかけつつ、同じ速度にて記録媒体Ｐｒは巻き戻される。
【００２４】
次に、記録媒体Ｐｒの取り付け方法について説明する。まず、記録媒体Ｐｒを記録媒体支持装置１０に取り付ける前に、作業者が記録媒体の幅に対応する位置にスライダー３０を移動させる。記録媒体Ｐｒが記録媒体支持装置１０に取り付けられる前の状態では、ロック機構３２は、本体２から離れている第１の位置にある。すなわち、スライダー３０は本体２に固定されていない。なお、本実施形態では、記録媒体Ｐｒが取り付けられていない状態では、ロック機構３２はバネ（不図示）の付勢力によって、第１の位置に保持されている。従って、記録媒体Ｐｒが取り付けられる前であれば、スライダー３０は、スライダーベース３３を介して、給紙ガイド１１に取り付けられているスライドレール３４に沿って走査可能である。また、スライダー３０とロールホルダ２０Ｌとの間は記録媒体Ｐｒの軸方向に所定の隙間（本実施形態では１０ｍｍ）が許容されている。これは、記録媒体Ｐｒの幅方向の位置決めは、上述したようにロールホルダ２０Ｒの位置を基準とする。そのため、スライダー３０の位置は、記録媒体Ｐｒの幅に厳密に対応させる必要はない。スライダー３０を移動した後、ロールホルダ２０Ｒおよび２０Ｌのフランジ軸２１の各々を、受け台４０のガイドスロープ対４１ａ、４１ｂ、及びスライダー３０のガイドスロープ対３１ａ、３１ｂに置く。
【００２５】
続いて、スライダー３０のロック機構３２の動作について図５を用いて説明する。図５は、ロック機構３２の動作を説明するための断面図である。図５（ａ）は、ロック機構３２が第１の位置にあるときの状態を示す。この状態では、リンク４８の端部４８ａが切欠部３９から露出している。また、この状態では、スライダーロック３６の爪部３６ａと本体２に設けられたラック３５とは係合していないので、スライダー３０は、スライド動作が可能である。
【００２６】
図５（ｂ）は、記録媒体Ｐｒを挟み込んだロールホルダ２０Ｒ及び２０Ｌを記録媒体支持装置２に取り付けたときのロックロック機構３２の状態を示す断面図である。ガイドスロープ３１ａ、３１ｂで構成された切欠部３９にロールホルダ２０Ｌのフランジ軸２１を押し込むと、フランジ軸２１がリンク４８の端部４８ａを押して、リンク４８が、回転軸６０を中心として回転する。すると、ロック機構３２が第１の位置（図５（ａ）参照）から第２の位置（図５（ｃ）参照）まで変位し、これによりロック機構３２が本体２に固定される。具体的には、フランジ軸２１を切欠部３９の最奥（リンク４８の中央部）に押し込むと、リンク４８で記録媒体Ｐｒの重力が回転力に変換される。この変換によりリンク４８の外周に設けられたカム面４８ｂが、本体から離れた位置からスライダーロック３６に接触する位置まで変位する。これにより、スライダーロック３６がカム面４８ｂによって本体２の方へ押し出される。スライダーロック３６が押し出されると、爪部３６ａがラック３５に係合する（図５（ｃ）参照）。これにより、スライダー３０が本体２に固定される。なお、フランジ軸２１が切欠部３９の最奥に突き当たった状態となると、リンク４８の押圧面４８ｃには、フランジ軸２１を切欠部３９に押さえつける方向に押圧力ｆ（図５（ｃ）参照）が働く。この押圧力ｆは、記録媒体Ｐｒの搬送時にフランジ軸２１に働く反力ｗ１（図５（ｃ）参照）の分力ｗ２よりも大きくなるように設定されている。これにより、フランジ軸２１のぐらつきを無くしつつ傾倒を防止することで記録媒体Ｐｒのアライメント精度を保っている。なお、リンク４８には、ロック機構３２の第１の位置および第２の位置への保持を補助するバネ（不図示）が取り付けられている。これにより、ロック機構３２は、より確実に第１の位置および第２の位置を保持し続ける。また、ガイドスロープ３１ａ、３１ｂ間にリンク４８を設けたことによって、押圧力を両方のガイドスロープに作用することができ効率的にぐらつき抑制効果を得ることが出来る。
【００２７】
上述したように、本実施形態によれば、記録媒体Ｐｒを記録媒体支持装置２に取り付けると、リンク４８が記録媒体Ｐｒの重力を回転力に変換することによってカム面４８ｂが変位する。このとき、カム面４８ｂが爪部３６ａをラック２５に係合させる位置まで変位することによって、スライダー３０は自動的に本体２に固定される。そのため、作業者がロック機構の操作を忘れるといった事態が生じないので、記録媒体Ｐｒの取り付け作業を確実に行うことができる。さらに、記録媒体Ｐｒを記録媒体支持装置２に取り付けるだけで、スライダー３０が自動的に本体２に固定されるので、作業者がロック機構を操作する手間を削減することが可能となる。
【００２８】
なお、図６は、支持部の一方である受け台４０の内部構成を示した斜視図である。本実施形態では、スライダー３０と同様に受け台４０もリンク４８を備えている。このリンク４８は、スライダー３０に設けられているリンク４８と同様に、バネ（不図示）の付勢力によってフランジ軸２１を押圧している。これにより、ロールホルダ２０Ｒに設けられたロールギア２７の位置を所定位置で保持し、装置本体の入力ギア４２とのアライメントを保っている。
【００２９】
また、図７は、ロック機構の他の実施形態を示す断面図である。図７に示すロック機構３７は、リンク４８のカム面４８ｂに押し出される部材として、バネ（不図示）によって本体２から離れる方向（図７に示すＺ方向）に移動可能な摩擦パット台４９と、摩擦パット台４９に貼り付けられた摩擦部材５０とを備える。ロック機構３７では、リンク４８のカム面４８ｂが摩擦パット台４９に接触する位置に変位したときに、摩擦部材５０はカム面４８ｂによってスライドレール３４に押圧される。このとき、摩擦部材５０とスライドレール３４との間にリンク４８を静止させる摩擦力が発生する。この摩擦力によりスライダー３０が本体２に固定される。この摩擦力が大きいほどスライダー３０をより確実に本体２に固定することが可能になるので、摩擦パット５０には摩擦係数の高いもの、例えばゴム材を採用することが望ましい。なお、本発明では、スライダー３０を本体２に自動的に固定させる手段は、上述した爪部３６ａおよび摩擦パット５０に限定されず、スライダー３０を本体２に自動的に固定であればいかなる手段が含まれる。
【００３０】
また、上述した構成では、本体２にスライダー３０を固定させる機能を爪部３６ａまたは摩擦部材５０が持ち、フランジ２４の支持に連動して回転する機能をリンク４８が持つ構成であった。すなわち、機能ごとに異なる２つの部品を用いた構成であった。図８は、ロック機構の他の実施形態を示す断面図である。図８に示すロック機構３８は、上記の２つの機能を１つの部品に持たせた構成である。具体的には、リンク４８のカム面４８ｂに直接摩擦部材５０を貼り付け、カム面４８ｂが第２の位置で摩擦パット５０の摩擦力により静止する構成となっている。この構成では、ロック機構３２、３７に比べ部品数が少なくなるため、コストメリットがある。
【符号の説明】
【００３１】
１  記録装置
２  本体
１０  記録媒体支持装置
１４  挿入口
２０Ｒ、２０Ｌ  ロールホルダ
２１  フランジ軸
３０  スライダー
３９  切欠部
４８  リンク
４８ａ  端部
４８ｂ  カム面
【図１】
2011110708.tif 000003
【図２】
2011110708.tif 000004
【図３】
2011110708.tif 000005
【図４】
2011110708.tif 000006
【図５】
2011110708.tif 000007
【図６】
2011110708.tif 000008
【図７】
2011110708.tif 000009
【図８】
2011110708.tif 000010